(57)【要約】【課題】蘇生ポンプの中空部を収納ケースとして兼用させることで、コンパクトで携帯に便利なものとすることが出来る携帯用蘇生器を提供する。【解決手段】蘇生ポンプ１は、長手方向に伸縮可能なゴムまたは樹脂等のゴム状弾性材料から成る可撓性材料で蛇腹状に構成された筒状袋体２と、この筒状袋体２の上下端末部に気密的に取付けられた上部プレート３及び下部プレート４と、この上部プレート３に、図示しないバルブを備えたチューブ等を接続する給排気口５と、上部プレート３に形成された開口部３ａに気密的に装着された開閉蓋６とで構成されている。この発明では、前記上部プレート３に形成された開口部３ａから開閉蓋６を開放して、前記筒状袋体２の中空部２ａ内に、蘇生器として使用される従来公知のバルブを備えたチューブやマスク等を出し入れ出来るように構成したものである。【選択図】図１
2004357918.tif 000002
【特許請求の範囲】
【請求項１】
蘇生ポンプと、この蘇生ポンプの給排気口に接続されるバルブを備えたチューブ及びマスク等で構成される携帯用蘇生器において、
前記蘇生ポンプは、長手方向に伸縮可能な可撓性材料で構成された筒状袋体と、この筒状袋体の上下端末部に気密的に取付けられた上部プレート及び下部プレートと、この上部プレートまたは下部プレートの一方に、給排気口と、気密的に開閉可能に装着された開閉蓋とで構成し、この開閉蓋を開放して、前記筒状袋体の中空部内に、前記バルブを備えたチューブ及びマスク等を出し入れ出来るように構成したことを特徴とする携帯用蘇生器。
【請求項２】
前記上部プレートと下部プレートとの相対向する少なくとも一辺に、前記筒状袋体を常時伸長する方向に附勢するリンク部材を連結した請求項１に記載の携帯用蘇生器。
【請求項３】
前記上部プレートと下部プレートとの周縁部に、前記筒状袋体を折り畳み、かつ収納可能な開閉手段を設けた請求項１または２に記載の携帯用蘇生器。
【請求項４】
前記開閉蓋の嵌合周囲に、上部プレートまたは下部プレートの開口部に嵌合するシール部材を設けた請求項１，２または３に記載の携帯用蘇生器。
【請求項５】
前記開閉蓋の上面に、旋回可能な把手を設けた請求項１，２，３または４に記載の携帯用蘇生器。
【発明の詳細な説明】
【０００１】
【発明の属する技術分野】
この発明は、急病人等に人口呼吸を行う携帯用蘇生器にかかわり、更に詳しくはコンパクトで携帯に便利な携帯用蘇生器に関するものである。
【０００２】
【従来の技術】
従来、緊急の病人や患者に対する人口呼吸は、所謂、「マウスツーマウス」方式で行っていたが、近年では病人と救助者との間における感染症の伝染等を考慮し、携帯に便利な機械的な蘇生器や人口呼吸器等が使用されて来ている。
【０００３】
ところで、従来の蘇生器としては、収納ケースに蘇生ポンプ、この蘇生ポンプの給排気口に接続されるバルブを備えたチューブ及びマスク等が個別に収容され、使用時には、収納ケース内からそれぞれの部品を取り出して組み立て、それを病人に装着して使用する方法であった（例えば、特許文献１参照）。
【０００４】
【特許文献１】
特開平１０−５７４７３号公報（第１〜３頁、図１）
【０００５】
【発明が解決しようとする課題】
然しながら、従来の蘇生器は、収納ケースに別体蘇生ポンプを収納しなければならないため、蘇生ポンプを収容する収納ケースの形態は必然的に大きくなり、またその他の部品等も収容する必要があるため、収納ケースは非常に大きいものとなり、備蓄スペースも広く必要となる上、携帯には不便であった。
【０００６】
この発明は、かかる従来の問題点に着目して案出されたもので、蘇生ポンプの中空部を収納ケースとして兼用させることで、コンパクトで携帯に便利な携帯用蘇生器を提供することを目的とするものである。
【０００７】
【課題を解決するための手段】
この発明は、上記目的を達成するため、蘇生ポンプと、この蘇生ポンプの給排気口に接続されるバルブを備えたチューブ及びマスク等で構成される携帯用蘇生器において、前記蘇生ポンプは、長手方向に伸縮可能な可撓性材料で構成された筒状袋体と、この筒状袋体の上下端末部に気密的に取付けられた上部プレート及び下部プレートと、この上部プレートまたは下部プレートの一方に、給排気口と、気密的に開閉可能に装着された開閉蓋とで構成し、この開閉蓋を開放して、前記筒状袋体内の中空部内に、前記バルブを備えたチューブ及びマスク等を出し入れ出来るように構成したことを要旨とするものである。
【０００８】
ここで、前記上部プレートと下部プレートとの相対向する少なくとも一辺に、前記筒状袋体を常時伸長する方向に附勢するリンク部材を連結し、また前記上部プレートと下部プレートとの周縁部に、前記筒状袋体を折り畳み、かつ収納可能な開閉手段を設けるものである。
【０００９】
また、前記開閉蓋の嵌合周囲に、上部プレートまたは下部プレートの開口部に嵌合するシール部材を設け、更に開閉蓋の上面に、旋回可能な把手を設けるものである。
【００１０】
このように、蘇生ポンプの中空部を収納ケースとして兼用させることで、コンパクトで携帯に便利なものとすることが出来、また備蓄スペースも狭くすることが出来る上、部品点数も少なくすることが出来るので、コストダウンを図ることも可能である。
【００１１】
【発明の実施の形態】
以下、添付図面に基づきこの発明の実施の形態を説明する。
【００１２】
図１は、蘇生ポンプの使用時における全体斜視図、図２は収納時における蘇生ポンプの全体斜視図、図３は図１のＡーＡ矢視平面図を示し、この蘇生ポンプ１は、長手方向に伸縮可能なゴムまたは樹脂等のゴム状弾性材料から成る可撓性材料で蛇腹状に構成された筒状袋体２と、この筒状袋体２の上下端末部に気密的に取付けられた上部プレート３及び下部プレート４と、この上部プレート３に、図示しないバルブを備えたチューブ等を接続する給排気口５と、上部プレート３に形成された開口部３ａに気密的に装着された開閉蓋６とで構成されている。
【００１３】
なお、この実施形態では、給排気口５及び開閉蓋６を上部プレート３に設けてあるが、可能であれば下部プレート４に設けることも可能である。
【００１４】
この発明では、前記上部プレート３に形成された開口部３ａから開閉蓋６を開放して、前記筒状袋体２の中空部２ａ内に、蘇生器として使用される従来公知のバルブを備えたチューブやマスク等を出し入れ出来るように構成したものである。
【００１５】
また、前記上部プレート３と下部プレート４との相対向する少なくとも一辺には、前記筒状袋体２を常時伸長する方向に附勢するリンク部材７が連結してあり、このリンク部材７は、中央と両端側に長穴７ａ，７ｂを備えた二本のリンク８ａ，８ｂの中央をピン９ａにより連結し、またその両端は、ピン９ｂにより、上部プレート３と下部プレート４とのフレームに回転自在に連結されている。
【００１６】
この二本のリンク８ａ，８ｂは、図示しないバネ等により連結され、常時筒状袋体２を常時伸長する方向に附勢するように構成されている。
【００１７】
なお、このリンク部材７は、ゴム状弾性材料から成る筒状袋体２の弾性力により常時伸長するので、必ずしも必要ではない。
【００１８】
また、前記上部プレート３と下部プレート４とのフレームの周縁部には、前記蛇腹状の筒状袋体２を折り畳み、かつ収納可能なファスナー，チャック，ジッパー等の開閉手段１０が設けてあり、この開閉手段１０を操作することで、筒状袋体２を伸ばしたり、折り畳んで、収納することが出来るものである。
【００１９】
前記開閉蓋６の嵌合周囲には、上部プレート３に形成された開口部３ａに嵌合するゴムパッキン等のシール部材１１か設けてあり、また開閉蓋６の上面中央には、３６０度旋回可能な把手１２が設けてある。
【００２０】
次に、蘇生ポンプ１の使用時について説明する。
【００２１】
図２に示すように、開閉手段１０により筒状袋体２が折り畳まれて収納されている状態から、図１に示すように、開閉手段１０により開放して筒状袋体２を伸ばし、更に、筒状袋体２の中空部２ａ内に収容されているバルブを備えたチューブやマスク等を開閉蓋６を開放して取り出す。
【００２２】
そして、開閉蓋６を気密的に閉じた状態で、チューブを給排気口５に接続すると共に、その他の部品も接続させる。このようにして、所定の状態で取付けた後、蘇生ポンプ１の把手１２を持って、筒状袋体２を圧縮，伸長操作することで、給排気口５から新鮮な空気を供給することが出来る。
【００２３】
この筒状袋体２の圧縮，伸長方向としては、種々の方法があり、例えば、下部プレート４を水平な面に設置した状態で上方から鉛直方向に操作する方法や、下部プレート４を鉛直な面設置して、水平方向から操作する方法、或いは開閉手段１０の一辺を閉じておき、筒状袋体２を三角形状にしておいて、上下に操作する方法等が考えられる。
【００２４】
いずれにしても、操作時の場所や状況に応じて、任意に操作することが可能であり、災害時の緊急状態でも確実な組み立てが可能であり、更に災害時の様々なシチュエーションで、様々な使用方法の中でも確実に患者に送気することが可能になるため、患者の蘇生率を向上させることが可能となる。
【００２５】
また、収納時には、バルブを備えたチューブやマスク等を開閉蓋６を開放して筒状袋体２の中空部２ａ内に収容し、開閉蓋６を閉じると共に、筒状袋体２を圧縮させた状態で、開閉手段１０を閉じることで、図２に示すようなコンパクトな状態にするのである。
【００２６】
以上のように、この発明では、蘇生ポンプ１の中空部を収納ケースとして兼用させることで、コンパクトで携帯に便利なものとすることが出来、また備蓄スペースも狭くすることが出来るのである。
【００２７】
【発明の効果】
この発明は、上記のように蘇生ポンプは、長手方向に伸縮可能な可撓性材料で構成された筒状袋体と、この筒状袋体の上下端末部に気密的に取付けられた上部プレート及び下部プレートと、この上部プレートまたは下部プレートの一方に、給排気口と、気密的に開閉可能に装着された開閉蓋とで構成し、この開閉蓋を開放して、前記筒状袋体の中空部内に、前記バルブを備えたチューブ及びマスク等を出し入れ出来るように構成したので、蘇生ポンプの中空部を収納ケースとして兼用させることで、コンパクトで携帯に便利なものとすることが出来、また備蓄スペースも狭くすることが出来る上、従来の収容ケースが不要となることから、部品点数も少なくすることが出来、また構成も簡単なので、コストダウンを図ることが出来る効果がある。
【００２８】
また、部品点数も少なくすることが出来る結果、災害時の緊急状態でも確実な組み立てが可能であり、更に災害時の様々なシチュエーションで、様々な使用方法の中でも確実に患者に送気することが可能になるため、患者の蘇生率を向上させることが可能となる。
【図面の簡単な説明】
【図１】この発明の蘇生ポンプの使用時における全体斜視図である。
【図２】この発明の収納時における蘇生ポンプの全体斜視図である。
【図３】図１のＡーＡ矢視平面図である。
【符号の説明】
１  蘇生ポンプ                  ２  筒状袋体
２ａ  中空部
３  上部プレート              ３ａ  開口部
４  下部プレート                ５  給排気口
６  開閉蓋                      ７  リンク部材
７ａ  長穴                  ８ａ，８ｂ  リンク
９ａ，９ｂ  ピン                １０  開閉手段
１１  シール部材                １２  把手
【図１】
2004357918.tif 000003
【図２】
2004357918.tif 000004
【図３】
2004357918.tif 000005